(57)【要約】【課題】  引き紐の操作性を確保しながらも見栄えの改善が可能な火災警報器を提供する。【解決手段】  火災を検知する火災検知部と、警報音を発生させる音出力部と、引き紐６０の引張操作によって操作されるスイッチ６と、火災検知部によって火災が検知されたときに音出力部を制御して警報音を発生させる警報動作を開始するとともに、警報動作中にスイッチ６が操作されたときに警報動作を終了する制御部と、制御部によって制御されてスイッチ６の操作用の引き紐６０を変位させる引き紐駆動部８とを備える。制御部は、警報動作の開始時に、引き紐駆動部８を制御してスイッチ６の操作用の引き紐６０を繰り出させ、引き紐６０の先端を下方に変位させることで引き紐６０の操作性を確保する。また、引き紐６０を常に繰り出された状態に維持する場合に比べ、見栄えの改善が可能となる。【選択図】図１
2010092427.tif 000002
【特許請求の範囲】
【請求項１】
火災を検知する火災検知部と、警報音を発生させる音出力部と、所定の下げ位置と下げ位置よりも先端が上方に位置する上げ位置との間で変位可能な引き紐によって操作されるスイッチと、火災検知部によって火災が検知されたときに音出力部を制御して警報音の発生を開始させる制御部と、火災検知部と音出力部とスイッチと制御部とをそれそれ収納して取付面に対して固定されるハウジングと、所定のタイミングでスイッチの引き紐を下げ位置へ変位させる引き紐繰り出し部とを備えることを特徴とする火災警報器。
【請求項２】
制御部は、音出力部が警報音を発生させている状態でスイッチの引き紐が引張操作されたときに音出力部を制御して警報音の発生を終了させるものであって、
引き紐繰り出し部は、火災検知部によって火災が検知されたときにスイッチの引き紐を下げ位置へ変位させることを特徴とする請求項１記載の火災警報器。
【請求項３】
引き紐繰り出し部は、定期的なタイミングにスイッチの引き紐を下げ位置へ変位させるものであって、
音出力部が警報音を発生させていない状態でスイッチの引き紐が引張操作されたときに、制御部が、火災検知部の機能試験を開始することを特徴とする請求項１又は請求項２記載の火災警報器。
【請求項４】
スイッチの引き紐が引張操作されたときにスイッチの引き紐を上げ位置へ変位させる引き紐回収部を備えることを特徴とする請求項１〜３のいずれか１項に記載の火災警報器。
【請求項５】
引き紐繰り出し部と引き紐回収部とは、スイッチの引き紐が巻回されるリールと、ハウジングに対して固定され、引き紐をリールに巻き付ける方向にリールを回転駆動することにより引き紐を上げ位置に変位させるとともに、引き紐をリールから繰り出す方向にリールを回転駆動することにより引き紐を下げ位置に変位させるモーターとからなることを特徴とする請求項４記載の火災警報器。
【請求項６】
引き紐繰り出し部は、スイッチの引き紐を上げ位置に支持する閉位置と、閉位置から重力によって変位する位置であってスイッチの引き紐を下げ位置に落下させる開位置との間で、ハウジングに対して変位可能な支持体と、支持体を閉位置にラッチするラッチ手段と、制御部によって制御されてラッチ手段によるラッチを解除するラッチ解除手段とからなることを特徴とする請求項１〜３のいずれか１項に記載の火災警報器。
【発明の詳細な説明】
【技術分野】
【０００１】
本発明は、火災警報器に関するものである。
【背景技術】
【０００２】
従来から、火災を検知して警報音を発生させる火災警報器として、警報音を停止させるスイッチを備えるものが提供されている。さらに、火災警報器は天井面ないしは壁面において天井面に近い位置に取り付けられることが多いため、上記のスイッチを操作するための引き紐を有するものが提供されている（例えば、特許文献１参照）。すなわち、警報音の発生中に、引き紐を引張ることによりスイッチを操作すれば、警報音の発生が停止される。
【０００３】
また、上記のように引き紐によって操作されるスイッチとして、火災警報器の機能試験のためのスイッチを有するものも提供されている。
【特許文献１】特開２００６−２４４４０８号公報
【発明の開示】
【発明が解決しようとする課題】
【０００４】
警報音を停止させる操作のための引き紐は警報音が発生していない状態では操作されることがなく、機能試験のための引き紐は操作される頻度が比較的に低いにも関わらず、従来は、いずれの場合の引き紐も、常に操作可能な位置まで垂下されていたため、見栄えが悪かった。
【０００５】
本発明は、上記事由に鑑みて為されたものであり、その目的は、引き紐の操作性を確保しながらも見栄えの改善が可能な火災警報器を提供することにある。
【課題を解決するための手段】
【０００６】
請求項１の発明は、火災を検知する火災検知部と、警報音を発生させる音出力部と、所定の下げ位置と下げ位置よりも先端が上方に位置する上げ位置との間で変位可能な引き紐によって操作されるスイッチと、火災検知部によって火災が検知されたときに音出力部を制御して警報音の発生を開始させる制御部と、火災検知部と音出力部とスイッチと制御部とをそれそれ収納して取付面に対して固定されるハウジングと、所定のタイミングでスイッチの引き紐を下げ位置へ変位させる引き紐繰り出し部とを備えることを特徴とする。
【０００７】
この発明によれば、所定のタイミングにはスイッチの引き紐を下げ位置に変位させることで引き紐の操作性を確保しながらも、所定のタイミング以外にはスイッチの引き紐を上げ位置としておくことができるから、スイッチの引き紐の位置が常に下げ位置に維持される場合に比べて見栄えの改善が可能となる。
【０００８】
請求項２の発明は、請求項１の発明において、制御部は、音出力部が警報音を発生させている状態でスイッチの引き紐が引張操作されたときに音出力部を制御して警報音の発生を終了させるものであって、引き紐繰り出し部は、火災検知部によって火災が検知されたときにスイッチの引き紐を下げ位置へ変位させることを特徴とする。
【０００９】
この発明によれば、火災検知部によって火災が検知されたときにはスイッチの引き紐が下げ位置へ変位することにより、火災発生時には警報音を停止させる操作がしやすくなる。
【００１０】
請求項３の発明は、請求項１又は請求項２の発明において、引き紐繰り出し部は、定期的なタイミングにスイッチの引き紐を下げ位置へ変位させるものであって、音出力部が警報音を発生させていない状態でスイッチの引き紐が引張操作されたときに、制御部が、火災検知部の機能試験を開始することを特徴とする。
【００１１】
この発明によれば、機能試験が必要なタイミングに引き紐が下りてくることによって、試験操作しやすくなると共に、ユーザーに試験操作を促すことができる。
【００１２】
請求項４の発明は、請求項１〜３のいずれかの発明において、スイッチの引き紐が引張操作されたときにスイッチの引き紐を上げ位置へ変位させる引き紐回収部を備えることを特徴とする。
【００１３】
この発明によれば、スイッチの引き紐を下げ位置から上げ位置に復帰させる手間を省くことができる。
【００１４】
請求項５の発明は、請求項４の発明において、引き紐繰り出し部と引き紐回収部とは、スイッチの引き紐が巻回されるリールと、引き紐をリールに巻き付ける方向にリールを回転駆動することにより引き紐を上げ位置に変位させるとともに、引き紐をリールから繰り出す方向にリールを回転駆動することにより引き紐を下げ位置に変位させるモーターとからなることを特徴とする。
【００１５】
請求項６の発明は、請求項１〜３のいずれかの発明において、引き紐繰り出し部は、スイッチの引き紐を上げ位置に支持する閉位置と、閉位置から重力によって変位する位置であってスイッチの引き紐を下げ位置に落下させる開位置との間で、ハウジングに対して変位可能な支持体と、支持体を閉位置にラッチするラッチ手段と、制御部によって制御されてラッチ手段によるラッチを解除するラッチ解除手段とからなることを特徴とする。
【００１６】
この発明によれば、ラッチ解除手段の消費電力は請求項５のモーターの消費電力よりも小さくすることができることにより、請求項５の発明よりも消費電力を小さくすることができる。
【発明の効果】
【００１７】
請求項１の発明によれば、所定のタイミングにはスイッチの引き紐を下げ位置に変位させることで引き紐の操作性を確保しながらも、所定のタイミング以外にはスイッチの引き紐を上げ位置としておくことができるから、スイッチの引き紐の位置が常に下げ位置に維持される場合に比べて見栄えの改善が可能となる。
【００１８】
請求項２の発明によれば、火災検知部によって火災が検知されたときにはスイッチの引き紐が下げ位置へ変位することにより、火災発生時には警報音を停止させる操作がしやすくなる。
【００１９】
請求項３の発明によれば、機能試験が必要なタイミングに引き紐が下りてくることによって、試験操作しやすくなると共に、ユーザーに試験操作を促すことができる。
【００２０】
請求項４の発明によれば、スイッチの引き紐が引張操作されたときにスイッチの引き紐を上げ位置へ変位させる引き紐回収部を備えることにより、スイッチの引き紐を下げ位置から上げ位置に復帰させる手間を省くことができる。
【００２１】
請求項６の発明によれば、ラッチ解除手段の消費電力は請求項５のモーターの消費電力よりも小さくすることができることにより、請求項５の発明よりも消費電力を小さくすることができる。
【発明を実施するための最良の形態】
【００２２】
以下、本発明を実施するための最良の形態について、図面を参照しながら説明する。
【００２３】
（実施形態１）
本実施形態は、図１及び図２に示すように、火災を検知する火災検知部２と、警報音を発生させる音出力部３と、視覚的な表示を行う表示部５と、引き紐６０の引張操作によって操作されるスイッチ６と、火災検知部２によって火災が検知されたときに音出力部３を制御して警報音を発生させるとともに表示部５を制御して警報を表示させる警報動作を開始するとともに、警報動作中にスイッチ６が操作されたときに音出力部３による警報音の発生と表示部５による警報の表示とをそれぞれ停止させて警報動作を終了する制御部１と、制御部１に対して動作クロックを供給する発振回路７と、制御部１によって制御されてスイッチ６の操作用の引き紐６０を変位させる引き紐駆動部８と、例えばリチウム電池のような電池（図示せず）や商用電源を電源として上記の各部に電力を供給する電源部４とを備える。引き紐６０において垂下される一端には、引き紐６０の前記一端を囲む筒状の摘み６０ａが取り付けられている。以下、上下方向は図１を基準として説明する。
【００２４】
さらに、本実施形態は、音出力部３や表示部５や制御部１や発振回路７や電源部４の各回路部品及びスイッチ６がそれぞれ実装されたプリント配線板Ｐと、プリント配線板Ｐを収納して取付面としての天井面（図示せず）に対して固定されるハウジング９を備える。ハウジング９は、軸方向を上下方向に向け下面が下方に膨出した円柱形状であってプリント配線板Ｐと引き紐駆動部とがそれぞれ収納された本体部９１と、本体部９１の下面の中央部から下方に突設され火災検知部２と音出力部３の後述するスピーカ３ｃとがそれぞれ収納された突台部９２とを有する。突台部９２の下面には、スピーカ３ｃの音を通すための複数個の音穴９２ａ（図３参照）が設けられている。また、突台部９２内には、外部からの光の入射が遮断されるとともに外部からの煙が流入可能な監視空間（いわゆるラビリンス。図示せず）が設けられており、突台部９２の側面には監視空間に連通して煙の流路となる複数個の通気穴９２ｂが設けられている。
【００２５】
火災検知部２は、火災に伴って発生する煙を検出することで火災を検知するものであって、上記の監視空間へ赤外光を照射する発光素子２ａと、発光素子２ａが照射して監視空間内の煙で散乱された赤外光を受光する受光素子２ｂと、発光素子２ａを所定のパターンで周期的に発光させるとともに受光素子２ｂの出力を発光素子２ａの発光のパターンで同期検波して得られた受光信号の信号レベルを所定の火災判定閾値と比較し受光信号の信号レベルが火災判定閾値を上回ったときに火災が検知されたことを示す火災検知信号を制御部１へ出力する検知部２ｃとからなる。発光素子２ａとしては例えば発光ダイオードを用いることができ、受光素子２ｂとしては例えばフォトダイオードを用いることができる。また、検知部２ｃは、周知技術で実現可能であるので詳細な図示並びに説明は省略する。
【００２６】
音出力部３は、制御部１から出力される音響データをアナログの音響信号に変換する音源回路部３ａと、音源回路部３ａから出力される音響信号を増幅するアンプ３ｂと、アンプ３ｂで増幅された音響信号によって駆動されて警報音を発生させるスピーカ３ｃとを備える。音出力部３の上記の各構成は周知技術で実現可能であるので、詳細な図示並びに説明は省略する。
【００２７】
表示部５は、例えば発光ダイオードのような発光素子（図示せず）と、制御部１によって制御されて発光素子を点灯させる点灯回路（図示せず）とを備え、発光素子の点滅や点灯によって警報を表示するものである。このような表示部５は周知技術で実現可能であるので、詳細な図示並びに説明は省略する。
【００２８】
引き紐駆動部８は、軸方向を水平方向に向けた円筒形状であってスイッチ６の操作用の引き紐６０の一端が外周面に対して固定され引き紐６０が巻回されるリール８１と、リール８１をその中心軸周りに回転させるモーター８２とからなる。制御部１は、引き紐６０を、リール８１に巻き取られて先端（すなわち、リール８１に対して固定された上記一端に対する他端）がハウジング９の下端よりも上側に位置する上げ位置と、リール８１から繰り出されて先端が上げ位置での先端よりも下方であって引張操作に適した適宜の高さ（例えば、ハウジング９の下端よりも３０ｃｍ程度下方）に位置する下げ位置との間で変位させる。具体的には例えば、制御部１は、引き紐６０を上げ位置から下げ位置に変位させる際には引き紐駆動部８のモーター８２を一定の回数だけ正転させ、引き紐６０を下げ位置から上げ位置に変位させる際には引き紐駆動部８のモーター８２を上記一定の回数だけ逆転させる。すなわち、本実施形態の引き紐駆動部８は、引き紐繰り出し部であると同時に引き紐回収部でもある。
【００２９】
さらに、ハウジング９の本体部９１内には、スイッチ６の上側において本体部９１に対し本体部９１の周方向に沿った軸周りにシーソー動可能に支持された揺動体８３が設けられている。引き紐駆動部８のモーター８２は揺動体８３に対して固定され、リール８１はモーター８２を介して揺動体８３に対して回転可能に支持されている。そして、引き紐６０が下方から引張られたときには、揺動体８３は引き紐６０からリール８１を介して引張り力を受け、ハウジング９の外周面に近い側の一端部（図１での右端部）をハウジング９に対して下方へ変位させるようにシーソー動する。スイッチ６は、引き紐６０が下方から引張られたときに上記のようにシーソー動した揺動体８３から下方への押力を受けるハンドル６ａを有し、ハンドル６ａが下方への押力を受けて変位したときに制御部１への出力を変化させるものであって、制御部１はこの出力の変化に基いてスイッチ６が操作されたことを検出する。
【００３０】
制御部１は、火災検知部２から火災検知信号を入力されると、音出力部３へ音響データを出力することによって警報音を発生させるとともに表示部５を制御して警報の表示を行わせる警報動作を開始する。音響データは、例えば、「火事です」という音声のデータと、所定の周波数範囲（例えば、３００Ｈｚ〜４ｋＨｚ）にわたって周波数を連続的に変化させたスイープ音（いわゆるサイレン音）のデータである。さらに、制御部１は、警報動作の開始時に、スイッチ６の操作用の引き紐６０を繰り出して引き紐６０を下げ位置へ変位させるように、引き紐駆動部８を制御する。また、警報動作中に上記の引き紐６０の引張操作によってスイッチ６が操作されると、音出力部３への音響データの出力を停止するとともに表示部５を制御し警報の表示を停止させて警報動作を終了し、さらに引き紐駆動部８を制御してスイッチ６の操作用の引き紐６０を巻き取らせることで引き紐６０を上げ位置へ変位させる。上記のような制御部１は、プログラムが格納されたメモリと、メモリに格納されたプログラムを実行するマイクロコンピュータとを用い、周知技術で実現可能であるので詳細な図示並びに説明は省略する。
【００３１】
さらに、制御部１は、定期的に引き紐駆動部８を制御し、引き紐６０を下げ位置へ変位させる。そして、警報動作中ではないときにスイッチ６が所定の長押し時間よりも短い時間だけ操作されると、火災検知部２の機能試験を行う試験動作を開始する。すなわち、火災検知部２の検知部２ｃにおいて受光素子２ｂの出力を増幅しているアンプ（図示せず）のゲインを、受光素子２ｂの出力に常に存在するバックグラウンド成分が火災判定閾値を上回る程度まで増加させる。この結果、火災検知部２に異常が無ければ、検知部２ｃから火災検知信号が制御部１に入力される。制御部１は、試験動作中に火災検知信号が入力されると、音出力部３に対し、試験動作の結果が正常であることを示す例えば「正常です」といったような音声を出力させる音響データを出力して試験動作を終了する。また、制御部１は、試験動作中に、火災検知部２に対する上記制御にも関わらず火災検知信号が入力されなかった場合、試験動作の結果が異常であることを示す例えば「故障です」といったような音声を出力させる音響データを出力して試験動作を終了する。上記のような試験動作により、火災検知部２の機能試験とともに、音出力部３が正常に動作することの確認もできる。なお、試験動作の内容は上記に限られない。また、制御部１は、試験動作を開始する際に、引き紐駆動部８を制御して引き紐６０を巻き取らせることにより引き紐６０を上げ位置に変位させる。なお、警報動作中ではないときにスイッチ６が上記の長押し時間以上継続して操作された場合には、警報動作を開始する。すなわち、使用者は、例えばリール８１を押し下げることで、上記の長押し時間以上スイッチ６を継続して操作すれば、警報動作の内容を確認することができる。
【００３２】
上記構成によれば、火災検知部２によって火災が検知されたときや試験動作を行うべき定期的なタイミングにはスイッチ６の引き紐６０を下げ位置に変位させることで引き紐６０の操作性を確保しながらも、火災検知部２によって火災が検知されておらず且つ上記の定期的なタイミングでもないときにはスイッチ６の引き紐６０を上げ位置としておくことができるから、スイッチ６の引き紐６０の位置が常に下げ位置に維持される場合に比べ、見栄えの改善が可能となる。
【００３３】
また、定期的に、引き紐６０が下げ位置に変位させられることで、試験動作を開始させるためのスイッチ６の操作が促される。
【００３４】
なお、スイッチ６の操作に応じた制御部１の動作としては、上記のような警報動作の終了や試験動作の開始に限られない。例えば、入力された音声を音響データに変換する音入力部（図示せず）を設け、この音入力部に入力された音声を警報音として使用可能とする場合において、音入力部が出力した音響データを以後の警報動作で出力する音響データとして記憶する録音動作を制御部１に開始させるトリガとして、スイッチ６を用いてもよい。上記のような音入力部は周知技術を用いて実現可能であるので、図示並びに詳細な説明は省略する。
【００３５】
また、音出力部３としては上記のようにスピーカ３ｃを用いる代わりにブザーを用いてもよいが、上記のように音出力部３にスピーカ３ｃを用いて音声（言語）による報知を行うようにしたほうが報知の内容が分かり易くなるから望ましい。
【００３６】
（実施形態２）
本実施形態の基本構成は実施形態１と共通であるので、共通する部分については同じ符号を付して図示並びに説明を省略する。
【００３７】
本実施形態は、引き紐６０を下げ位置に変位させる方法として、実施形態１のようなリール８１及びモーター８３を設ける代わりに、図３及び図４（ａ）（ｂ）に示すように、下方への回転によって開放可能な支持体としての蓋８４で床（下側の壁）が構成された収納室９０をハウジング９に設け、通常時には引き紐６０を収納室９０に収納することで引き紐６０を上げ位置に維持するとともに、警報動作時など引き紐６０を下げ位置に変位させる際には蓋８４を開放することにより引き紐６０をハウジング９の下方へ落下させるという方法を用いている。本実施形態では、スイッチ６としては周知のプルスイッチを用いることができる。さらに、ハウジング９の本体部９１の下面に露出する押釦６ｂが設けられており、スイッチ６は押釦６ｂが押操作されたときにも引き紐６０が引張操作されたときと同様の出力を発生させる。
【００３８】
具体的には、蓋８４は一端部（図４（ａ）での右端部）をハウジング９の収納室９０の開口縁付近に対して枢着されている。さらに、磁性体からなる吸引片８４ａを、ハウジング９に対する蓋８４の回転軸から離れた側の端部（図４（ａ）での左端部）に固定するとともに、吸引片８４ａの上側において上下方向の磁界を発生させる向きでハウジング９に対し上下に変位（平行移動）可能に保持されたラッチ手段としての永久磁石８５を設けている。
【００３９】
そして、永久磁石８５が可動範囲の下端にあるときには永久磁石８５の吸引片８４ａに対する磁力によって蓋８４が図４（ａ）のように引き紐６０を支持する閉位置に維持され、永久磁石８５が上方に変位すると吸引片８４ａに対する永久磁石８５の磁力が弱まることにより蓋８４に対するラッチが解除されて図３及び図４（ｂ）に示すように蓋８４が自重によって水平方向での一端部（図４（ａ）での左端部）を下方へ変位させるように回転し引き紐６０を支持せず落下させる開位置に変位する（開放する）ように、蓋８４の重量や永久磁石８５の磁力及び可動範囲は決定されている。
【００４０】
引き紐６０を下げ位置に変位させる際には、制御部１は永久磁石８５を上方に変位させることにより蓋８４を開放して引き紐６０を落下させる。蓋８４の開放後、永久磁石８５は例えば自重によって下方に変位（復帰）する。永久磁石８５が復帰した状態で蓋８４を上方に回転させて閉じれば、吸引片８４ａが永久磁石８５に再び吸引されることにより蓋８４は閉位置に維持される。
【００４１】
永久磁石８５を上方に変位させるラッチ解除手段として、本実施形態では、永久磁石８５の上方に配置され通常はオフされて蓋８４を開放する際の所定時間（例えば１分程度）のみ永久磁石８５と同じ向きの磁束を発生させるように制御部１によってオンオフ制御される電磁石８６を用いている。つまり、蓋８４の開放時には、電磁石８６は、永久磁石８５を上方へ変位させる程度に強く、且つ、電磁石８６と永久磁石８５とが吸引片８４ａに作用させる上向きの磁力が蓋８４に作用する重力よりも小さくなる程度に弱い磁界を発生させる。
【００４２】
上記構成によれば、実施形態１に比べて消費電力を低減することができる。
【００４３】
但し、本実施形態においては、蓋８４と永久磁石８５と電磁石８６とが構成する引き紐駆動部８は、請求項における引き紐繰り出し部ではあるものの引き紐回収部ではなく、引き紐６０を操作後に復帰させるには人の手で引き紐６０を収納室９０内（すなわち上げ位置）に戻した後に蓋８４を閉じるという作業を行う必要があるのに対し、実施形態１のようにリール８１及びモーター８２を用いれば、スイッチ６が操作された後に引き紐６０を巻き取りによって自動的に上げ位置に復帰させることができるという利点がある。
【図面の簡単な説明】
【００４４】
【図１】本発明の実施形態１の構造を示す説明図である。
【図２】同上を示すブロック図である。
【図３】本発明の実施形態２を示す斜視図である。
【図４】（ａ）（ｂ）はそれぞれ同上の要部を示す断面図であり、（ａ）は蓋が閉じた状態を示し、（ｂ）は蓋が開いた状態を示す。
【符号の説明】
【００４５】
１  制御部
２  火災検知部
３  音出力部
６  スイッチ
８  引き紐駆動部（請求項における引き紐繰り出し部及び引き紐回収部）
９  ハウジング
６０  引き紐
８１  リール
８２  モーター
８４  蓋（請求項における支持体）
８５  永久磁石（請求項におけるラッチ手段）
８６  電磁石（請求項におけるラッチ解除手段）
【図１】
2010092427.tif 000003
【図２】
2010092427.tif 000004
【図３】
2010092427.tif 000005
【図４】
2010092427.tif 000006